(57)【特許請求の範囲】
【請求項１】
胴部が天フィルム（１ａ）と底フィルムと（１ｂ）によって扁平楕円形状又は扁平四角箱状で胴部横幅（Ａ１）方向の両側面の上下方向中央部に前記胴部横幅（Ａ１）方向と平面内で直交する方向のサイドシール（３）を有する袋体（１）であり、
この袋体（１）の胴部の上面で前後方向の中央に前記胴部横幅（Ａ１）方向に延在し直立した開口部（２）が設けられており、
この開口部（２）の横幅（Ａ２）は前記胴部横幅（Ａ１）より広く、かつ両端が横接着部（７ａ）と縦接着部（７ｂ）とによる下向きの直角鈎形の切欠（８）によって前記胴部両側の天フィルム（１ａ）に連続し、
前記切欠（８）に形成されている縦接着部（７ｂ）の下端と前記胴部両側のサイドシール（３）とを結合した構造を特徴する合成樹脂製袋体。
【発明の詳細な説明】
【０００１】
【産業上の利用分野】
本発明は、扁平楕円形状又は扁平四角箱状の胴部より延長した開口部を有する合成樹脂製袋体に関するものである。
【０００２】
【従来の技術】
従来、胴部より延長した開口部を折り重ね部として有する合成樹脂製袋としては、特公昭５７−５２２５８号、特開昭６３−３１７４６５号等で周知である。
【０００３】
【発明が解決しようとする課題】
このような従来の合成樹脂製の袋体において、折り重ね部は袋体が扁平状態であれば、折り重ね部を比較的容易に起立させることができるが、袋体に物品が包入されて膨らみがあるときには、折り重ね部の両端に加わる引張力によって折り重ね部の全長に渡って、その長手方向にテンションが作用し、益々倒れ方向に力が付与されて起立させ難い問題がある。
【０００４】
本発明の目的は、胴部より延長した開口部を有する合成樹脂製の袋体において、開口部の開口操作を容易とし、また、可及的に広くとった開口部により物品の出し入れの便を図った合成樹脂製袋体を提供するものである。
【０００５】
【課題を解決するための手段】
上記目的を達成するための発明は、請求項１に記載の通り、胴部が天フィルム１ａと底フィルムと１ｂによって扁平楕円形状又は扁平四角箱状で胴部横幅Ａ１方向の両側面の上下方向中央部に前記胴部横幅Ａ１方向と平面内で直交する方向のサイドシール３を有する袋体１であり、この袋体１の胴部の上面で前後方向の中央に前記胴部横幅Ａ１方向に延在し直立した開口部２が設けられており、この開口部２の横幅Ａ２は前記胴部横幅Ａ１より広く、かつ両端が横接着部７ａと縦接着部７ｂとによる下向きの直角鈎形の切欠８によって前記胴部両側の天フィルム１ａに連続してなり、前記切欠８に形成されている縦接着部７ｂの下端と前記胴部両側のサイドシール３とを結合した構造を特徴するものである。
【０００６】
【発明の実施の形態】
以下本発明の実施例を図面に基づいて説明する。
【実施例１】
図１は本発明の実施例１を示し、１は袋体であり、単層又は複層フィルム等天フィルム１ａと底フィルムと１ｂによって扁平楕円形の胴部で形成されている。この胴部横幅Ａ１方向の両側面の上下方向中央部に前記胴部横幅Ａ１方向と平面内で直交する方向のサイドシール３が施されている。
【０００７】
この袋体１の胴部の上面で前後方向の中央に前記胴部横幅Ａ１方向に延在し直立した開口部２が設けられており、この開口部２の横幅Ａ２は前記胴部横幅Ａ１より広く、かつ両端が横接着部７ａと縦接着部７ｂとによる下向きの直角鈎形の切欠８によって前記胴部両側の天フィルム１ａに連続し、前記切欠８に形成されている縦接着部７ｂの下端と前記胴部両側のサイドシール３とを結合した構造である。尚、図１において、１０は袋体１の胴部と開口部２との境界部分である。
【０００８】
前記開口部２の上端末はシール４が施され、このシール４の下方には開封引き裂き予定線５が前記シール４に沿って施されており、この開封引き裂き予定線５の両端にはノッチ６が形成されている。
【０００９】
実施例１は上記の通りの構造であるから、物品を包入した袋体１の胴部は図１に示すように、天部フイルム１ａと底部フィルム１ｂによる扁平楕円形であり、開口部２の両側端部方向にテンションが作用して開口部２を天部フイルム１ａ方向に倒れる力が付与されるが、本発明では、袋体１の膨らみによる前記テンションを切欠８がカットする。従って、開口部２は天部フイルム１ａ方向に倒れることなく起立した状態を維持し、或いは倒れていても容易に起立させることができ、開口部２の開口操作を頗る容易にする。また、開口部２の両端部は袋体１の胴部側部から突出した耳を形成した形態となる。従って、若し開口部２が倒れている場合には、前記耳を摘み部にすることにより開口部２の起立操作を容易にすることができる。
【００１０】
さらに、下向きの直角鈎形の切欠８の上接着部７ａを開口部２と袋体１の胴部との境界部分１０に施すことにより開口部２の横幅Ａ２は胴部横幅Ａ１より広くすることができるため、内容物の収納や取り出しを容易にすることができる。
【００１１】
上記図１で示す実施例１は、開口部２には雌雄咬合型ファスナーを設けていない袋体１であるが、開封引き裂き予定線５と平行して雌雄咬合型ファスナーを設けても良い。
【００１２】
【実施例２】
図２は本発明の実施例２を示す。この実施例２の基本的な構成は前記実施例１と同様である。前記実施例１の袋体１の形態は物品を包入したときに袋体１の胴部は扁平楕円形であるが、実施例２は扁平四角箱状の形態である。また、開口部２には雌雄咬合型ファスナー１１を備えている構造である。
【００１３】
すなわち、図２で示すように、１は胴部横幅Ａ１方向の両側面の上下方向中央部に前記胴部横幅Ａ１方向と平面内で直交する方向のサイドシール３が施されている単層又は複層フィルム等よりなる袋体である。この袋体１は幅Ｄ１のガゼット１２ａと幅Ｄ２のガゼット１２ｂとを有し、ガゼット１２ａと天部フイルム１ａと連続し、ガゼット１２ｂと連続する底部フィルム１ｂとにより扁平四角箱状の袋体１の胴部を形成している。
【００１４】
２は前記胴部より延長した横幅Ａ２の開口部であり、その上端末はシール４が施され、このシール４の下方には開封引き裂き予定線５が前記シール４に沿って施されており、この開封引き裂き予定線５の両端にはノッチ６が形成されている。前記開封引き裂き予定線５の下方には雌雄咬合型ファスナー１１が前記開封引き裂き予定線５と平行して設けられている。尚、この雌雄咬合型ファスナー１１の設定は必ずしも限定するものではない。
【００１５】
この袋体１の胴部の上面で前後方向の中央に前記胴部横幅Ａ１方向に延在し直立した開口部２が設けられており、この開口部２の横幅Ａ２は前記胴部横幅Ａ１より広く、かつ両端が横接着部７ａと縦接着部７ｂとによる下向きの直角鈎形の切欠８によって前記胴部両側の天フィルム１ａに連続し、前記切欠８に形成されている縦接着部７ｂの下端と前記胴部両側のサイドシール３とを結合した構造である。尚、図２において、１０は袋体１の胴部と開口部２との境界部分である。
【００１６】
実施例２は上記の通りの構造であるから、物品を包入した袋体１は図２に示すように、ガゼット１２ａ及びガゼット１２ｂが広がって天部フイルム１ａと底部フィルム１ｂ及びガゼット１２ａとガゼット１２ｂによって扁平四角箱状であり、開口部２の両側端部方向にテンションが作用して開口部２を天部フイルム１ａ方向に倒れる力が付与されるが、本発明では、袋体１の膨らみによる前記テンションを切欠８がカットする。従って、開口部２は天部フイルム１ａ方向に倒れることなく起立した状態を維持し、あるいは倒れていても容易に起立させることができ、開口部２開口操作を頗る容易にする。また、開口部２の両端部は袋体１の胴部側部から突出した耳を形成した形態となる。従って、若し開口部２が倒れている場合には、前記耳を摘み部にすることにより開口部２の起立操作を容易にすることができる。
【００１７】
さらに、下向きの直角鈎形の切欠８の上接着部７ａを開口部２と袋体１の胴部との境界部分１０に施すことにより開口部２の横幅Ａ２は胴部の横幅Ａ１より広くすることができるため、内容物の収納や取り出しを容易にすることができる。
【００１８】
【発明の効果】
以上のように本発明によると、胴部が天フィルム１ａと底フィルムと１ｂによって扁平楕円形状又は扁平四角箱状で胴部横幅Ａ１方向の両側面の上下方向中央部に前記胴部横幅Ａ１方向と平面内で直交する方向のサイドシール３を有する袋体１であり、この袋体１の胴部の上面で前後方向の中央に前記横幅Ａ１方向に延在し直立した開口部２が設けられており、この開口部２の横幅Ａ２は前記胴部横幅Ａ１より広く、かつ両端が横接着部７ａと縦接着部７ｂとによる下向きの直角鈎形の切欠８によって前記胴部両側の天フィルム１ａに連続し、前記切欠８に形成されている縦接着部７ｂの下端と前記胴部両側のサイドシール３とを結合した構造であるから、袋体１の膨らみによる開口部２の両側端部方向に作用するテンションを前記下向きの直角鈎形の切欠８がカットし、開口部２は倒れることなく起立した状態を維持し、あるいは倒れていても容易に起立させることができ、開口部２の開口操作を頗る容易にする。また、前記下向きの直角鈎形の切欠８により開口部２の横幅Ａ２を袋体１の胴部横幅Ａ１より広くすることができ、可及的に広くとった開口部に２より物品の出し入れが円滑となる利便性を有する。
【図面の簡単な説明】
【図１】  本発明の実施例１による袋体の立体図
【図２】  本発明の実施例２による袋体の立体図
【符号の説明】
１      袋体
１ａ    天部フイルム
１ｂ    底部フィルム
２      開口部
３      サイドシール
７ａ    横接着部
７ｂ    縦接着部
８      切欠
１０      境界部分
１１      雌雄咬合型ファスナー
１２ａ    ガゼット
１２ｂ    ガゼット
【図１】
0003801909.tif 000002
【図２】
0003801909.tif 000003